(57)【要約】【課題】メモ紙の取付及び取り外しを容易に行わせてその作業性を向上させるとともに、製造コストを抑制することができるメモ紙貼着部材を提供する。【解決手段】粘着性を有したゲル状粘着部材１から成り、その表面１ａに任意のメモ紙を貼着可能とされ、且つ、当該ゲル状粘着部材１の表面１ａを覆って当該表面１ａを保護するとともに、メモ紙の貼着時に剥離可能な透明若しくは半透明なシート状部材又は日光を遮蔽するシート状部材から成る剥離シート２が形成されたものである。【選択図】図１
0003149647.tif 000002
【実用新案登録請求の範囲】
【請求項１】
粘着性を有したゲル状粘着部材から成り、表面に任意のメモ紙を貼着可能とされたことを特徴とするメモ紙貼着部材。
【請求項２】
前記ゲル状粘着部材の表面を覆って当該表面を保護するとともに、メモ紙の貼着時に剥離可能な剥離シートが形成されたことを特徴とする請求項１記載のメモ紙貼着部材。
【請求項３】
前記剥離シートは、透明なシート状部材から成ることを特徴とする請求項２記載のメモ紙貼着部材。
【請求項４】
前記剥離シートは、日光を遮蔽するシート状部材から成ることを特徴とする請求項２記載のメモ紙貼着部材。
【請求項５】
前記剥離シートは、前記ゲル状粘着部材の表面に加え、その上端面を覆って形成されたことを特徴とする請求項２〜４の何れか１つに記載のメモ紙貼着部材。
【考案の詳細な説明】
【技術分野】
【０００１】
本考案は、表面に任意のメモ紙を貼着可能とされたメモ紙貼着部材に関するものである。
【背景技術】
【０００２】
従来、メモ紙を一時的に保持させるものとして、例えば磁石にクリップが一体的に形成されたものがある。このようなメモ紙を保持するものにおいては、磁石の磁力により金属製のものに固定させておき、クリップを操作することにより任意のメモ紙を挟持させることができる。尚、かかる先行技術は、文献公知考案に係るものでないため、記載すべき先行技術文献情報はない。
【考案の開示】
【考案が解決しようとする課題】
【０００３】
しかしながら、上記従来のものにおいては、クリップを操作して任意のメモ紙を挟持させる必要があるとともに、そのメモ紙を取り外す際にもクリップの操作が必要であったので、メモ紙の取り付け及び取り外し作業性があまりよくないという問題があった。また、磁石とクリップが必要であったので、これらを組み立てる必要があり、製造コストが嵩んでしまうという問題もあった。
【０００４】
本考案は、このような事情に鑑みてなされたもので、メモ紙の取付及び取り外しを容易に行わせてその作業性を向上させるとともに、製造コストを抑制することができるメモ紙貼着部材を提供することにある。
【課題を解決するための手段】
【０００５】
係る目的を達成すべく、本考案のうち請求項１に記載の考案は、粘着性を有したゲル状粘着部材から成り、表面に任意のメモ紙を貼着可能とされたことを特徴とする。
【０００６】
請求項２に記載の考案は、請求項１記載のメモ紙貼着部材において、前記ゲル状粘着部材の表面を覆って当該表面を保護するとともに、メモ紙の貼着時に剥離可能な剥離シートが形成されたことを特徴とする。
【０００７】
請求項３に記載の考案は、請求項２記載のメモ紙貼着部材において、前記剥離シートは、透明なシート状部材から成ることを特徴とする。
【０００８】
請求項４に記載の考案は、請求項２記載のメモ紙貼着部材において、前記剥離シートは、日光を遮蔽するシート状部材から成ることを特徴とする。
【０００９】
請求項５に記載の考案は、請求項２〜４の何れか１つに記載のメモ紙貼着部材において、前記剥離シートは、前記ゲル状粘着部材の表面に加え、その上端面を覆って形成されたことを特徴とする。
【考案の効果】
【００１０】
請求項１の考案によれば、粘着性を有したゲル状粘着部材から成り、表面に任意のメモ紙を貼着可能とされたので、クリップ等の操作を不要とすることができ、メモ紙の取付及び取り外しを容易に行わせてその作業性を向上させるとともに、製造コストを抑制することができる。
【００１１】
請求項２の考案によれば、ゲル状粘着部材の表面を覆って当該表面を保護するとともに、メモ紙の貼着時に剥離可能な剥離シートが形成されたので、ゲル状粘着部材の表面の粘着性を長期に亘って保持させることができ、メモ紙貼着部材の寿命を向上させることができる。
【００１２】
請求項３の考案によれば、剥離シートは、透明なシート状部材から成るので、当該剥離シートがゲル状粘着部材の表面を覆って当該表面を保護した状態でも、貼着したメモ紙の内容を容易に目視することができる。
【００１３】
請求項４の考案によれば、剥離シートは、日光を遮蔽するシート状部材から成るので、ゲル状粘着部材の表面を例えば紫外線等から保護することができ、ゲル状粘着部材の表面の粘着性をより良好に長期に亘って保持させることができる。
【００１４】
請求項５の考案によれば、剥離シートは、ゲル状粘着部材の表面に加え、その上端面を覆って形成されたので、上端面からゲル状粘着部材の表面まで埃等が入り込んでしまうのを回避することができ、当該ゲル状粘着部材の表面の粘着性をより確実に長期に亘って保持させることができる。
【考案を実施するための最良の形態】
【００１５】
以下、本考案の実施形態について図面を参照しながら具体的に説明する。
本実施形態に係るメモ紙貼着部材は、表面に任意のメモ紙を複数貼着可能とされたものであり、図１、２に示すように、所定の厚みを有したブロック状のゲル状粘着部材１と、該ゲル状粘着部材１の表面を覆って形成された剥離シート２とから主に構成されている。尚、ゲル状粘着部材１と剥離シート２とは、透明セロファンから成る粘着テープ３にて互いに接着されており、一体的なものとされている。尚、剥離シート２を粘着テープ３にてゲル状粘着部材１に貼着させるものの他、所定の接着剤等で接合させるものとしてもよい。
【００１６】
ゲル状粘着部材１は、その表面１ａに任意のメモ紙を貼着可能とされたものであり、例えばウレタン、ポリエチレン、シリコン又は合成ゴムに所定の粘着剤を混合させた後、所定の成形工程を経て成るゲル状のものから成り、外周面全てに粘着力を有するものである。即ち、ゲル状粘着部材１は、少なくともその表面１ａ及び裏面１ｂが粘着力を有しており、所望のものに裏面１ｂを粘着させてメモ紙貼着部材全体を固定させるとともに、表面１ａに任意のメモ紙Ｍ１〜Ｍ３（図４参照）を貼着させ得るよう構成されているのである。
【００１７】
剥離シート２は、ゲル状粘着部材１の表面１ａを覆って当該表面１ａを塵や埃等から保護するとともに、メモ紙（Ｍ１〜Ｍ３）の貼着時に上方に剥離可能なシート状部材から成る。本実施形態に係る剥離シート２は、シリコンフィルムから成る透明シートとされており、ゲル状粘着部材１の表面１ａに加え、上端面１ｃも覆うよう構成されている。即ち、剥離シート２は、上部が折り曲げ形成されており、その折り曲げ部にてゲル状粘着部材１の上端面１ｃも覆うようになっており、当該上端面１ｃからゲル状粘着部材１の表面１ａまで埃等が入り込んでしまうのを回避することができ、当該ゲル状粘着部材１の表面１ａの粘着性をより確実に長期に亘って保持させることができる。
【００１８】
また、剥離シート２は、図１に示すように、その幅寸法がゲル状粘着部材１よりも左右それぞれｔ１大きく設定されているとともに、下部の寸法がｔ２だけ大きく設定されている。これにより、ゲル状粘着部材１の側面及び下端面は外部に露出してしまうものの、寸法ｔ１及びｔ２の部分にて多少保護することができる。尚、剥離シート２は、本実施形態の如く透明なシリコンフィルムから成るものに限定されず、不透明又は半透明なシリコンフィルムであってもい。また、剥離シート２は、ゲル状粘着部材１の表面１ａを覆って当該表面１ａを塵や埃等から保護するものであれば何れの材質であってもよく、汎用の剥離紙等としてもよい。
【００１９】
更に、他の実施形態として、剥離シートが日光を遮蔽するシート状部材から成るものが挙げられる。かかる日光を遮蔽するシート状部材から成る剥離シートによれば、ゲル状粘着部材１の表面１ａを例えば紫外線等から保護することができ、ゲル状粘着部材１の表面１ａの粘着性をより良好に長期に亘って保持させることができる。
【００２０】
本実施形態に係るメモ紙貼着部材によれば、図３に示すように、剥離シート２を上方へ捲って剥離させれば、任意のメモ紙Ｍ１を一時的に表面１ａに貼着させることができる。また、ゲル状粘着部材１の粘着力は複数回使用に亘って維持されるものとされており、貼着させたメモ紙Ｍ１を剥がしたとしても、他のメモ紙を再び粘着させることができるようになっている。また、本実施形態においては、図４に示すように、任意メモ紙Ｍ１を表面１ａの下部に貼着させ、そこから上方に順次、メモ紙Ｍ２、Ｍ３を貼着させ得るよう構成されている。
【００２１】
表面１ａに複数のメモ紙Ｍ１〜Ｍ３を順次貼着させた後、再び剥離シート２にて当該表面１ａ及びメモ紙Ｍ１〜Ｍ３を覆うようにすれば、当該メモ紙Ｍ１〜Ｍ３をより強力に保持させることができる。即ち、本実施形態に係る剥離シート２によれば、ゲル状粘着部材１の表面１ａの粘着性を長期に亘って保持させることができ、メモ紙貼着部材の寿命を向上させることができるとともに、表面１ａに貼着させた保持力をより強固とすることができるのである。
【００２２】
然るに、本実施形態によれば、粘着性を有したゲル状粘着部材１から成り、表面１ａに任意のメモ紙（Ｍ１〜Ｍ３）を貼着可能とされたので、従来の如きクリップ等の操作を不要とすることができ、メモ紙の取付及び取り外しを容易に行わせてその作業性を向上させるとともに、製造コストを抑制することができる。また、本実施形態の如く剥離シート２を透明なシート状部材から成るものとすれば、当該剥離シート２がゲル状粘着部材１の表面１ａを覆って当該表面１ａを保護した状態でも、貼着したメモ紙（Ｍ１〜Ｍ３）の内容（メモ紙に記載した文字や記号等から把握されるべき内容）を容易に目視することができる。更に、他の実施形態の如く、剥離シートが日光を遮蔽するシート状部材から成るようにすれば、ゲル状粘着部材１の表面１ａを紫外線等から保護することができ、ゲル状粘着部材１の表面１ａの粘着性をより良好に長期に亘って保持させることができる。
【００２３】
以上、本実施形態について説明したが、本考案はこれらに限定されず、例えば剥離シートを具備せず、粘着性を有したゲル状粘着部材１単体から成り、その表面に任意のメモ紙を貼着可能とされたものとしてもよい。また、貼着し得るメモ紙は、１枚だけでもよく、或いは４枚以上の複数であってもよい。更に、ゲル状粘着部材１の平面視形状は、本実施形態の如く矩形のもの以外であってもよく、平面視で円形、楕円形、異形（所定の物品やキャラクタ等を模したもの）であってもよい。
【産業上の利用可能性】
【００２４】
粘着性を有したゲル状粘着部材から成り、表面に任意のメモ紙を貼着可能とされたメモ紙貼着部材であれば、外観形状が異なるもの或いは他の機能が付加されたもの等にも適用することができる。
【図面の簡単な説明】
【００２５】
【図１】本考案の実施形態に係るメモ紙貼着部材の表面及び裏面を示す模式図
【図２】図１におけるＩＩ−ＩＩ線断面図
【図３】同メモ紙貼着部材におけるゲル状粘着部材の表面に１枚のメモ紙を貼着させた状態を示す模式図
【図４】同メモ紙貼着部材におけるゲル状粘着部材の表面に複数枚（３枚）のメモ紙を貼着させた状態を示す模式図
【符号の説明】
【００２６】
１    ゲル状粘着部材
１ａ  表面
１ｂ  裏面
１ｃ  上端面
２    剥離シート
３    粘着テープ
Ｍ１〜Ｍ３  メモ紙
【図１】
0003149647.tif 000003
【図２】
0003149647.tif 000004
【図３】
0003149647.tif 000005
【図４】
0003149647.tif 000006
【手続補正書】
【提出日】平成21年2月3日(2009.2.3)
【手続補正１】
【補正対象書類名】実用新案登録請求の範囲
【補正対象項目名】全文
【補正方法】変更
【補正の内容】
【実用新案登録請求の範囲】
【請求項１】
所定の粘着剤を成形して成るとともに、少なくとも表面及び裏面が粘着力を有して成形されて固定されるゲル状粘着部材から成り、表面に任意のメモ紙を貼着可能とされたことを特徴とするメモ紙貼着部材。
【請求項２】
前記ゲル状粘着部材の表面を覆って当該表面を保護するとともに、メモ紙の貼着時に剥離可能な剥離シートが形成されたことを特徴とする請求項１記載のメモ紙貼着部材。
【請求項３】
前記剥離シートは、透明なシート状部材から成ることを特徴とする請求項２記載のメモ紙貼着部材。
【請求項４】
前記剥離シートは、日光を遮蔽するシート状部材から成ることを特徴とする請求項２記載のメモ紙貼着部材。
【請求項５】
前記剥離シートは、前記ゲル状粘着部材の表面に加え、その上端面を覆って形成されたことを特徴とする請求項２〜４の何れか１つに記載のメモ紙貼着部材。
【手続補正２】
【補正対象書類名】明細書
【補正対象項目名】０００５
【補正方法】変更
【補正の内容】
【０００５】
係る目的を達成すべく、本考案のうち請求項１に記載の考案は、所定の粘着剤を成形して成るとともに、少なくとも表面及び裏面が粘着力を有して成形されて固定されるゲル状粘着部材から成り、表面に任意のメモ紙を貼着可能とされたことを特徴とする。
【手続補正３】
【補正対象書類名】明細書
【補正対象項目名】００１０
【補正方法】変更
【補正の内容】
【００１０】
請求項１の考案によれば、所定の粘着剤を成形して成るとともに、少なくとも表面及び裏面が粘着力を有して成形されて固定されるゲル状粘着部材から成り、表面に任意のメモ紙を貼着可能とされたので、クリップ等の操作を不要とすることができ、メモ紙の取付及び取り外しを容易に行わせてその作業性を向上させるとともに、製造コストを抑制することができる。
【手続補正４】
【補正対象書類名】明細書
【補正対象項目名】００２４
【補正方法】変更
【補正の内容】
【００２４】
所定の粘着剤を成形して成るとともに、少なくとも表面及び裏面が粘着力を有して成形されて固定されるゲル状粘着部材から成り、表面に任意のメモ紙を貼着可能とされたメモ紙貼着部材であれば、外観形状が異なるもの或いは他の機能が付加されたもの等にも適用することができる。